(57)【要約】【課題】光ディスクオートチェンジャーを不要にし、安価で取扱いやすいクライアント側に接続された光ディスク装置を代用可能とすることができる運転履歴データ管理システムを得る。【解決手段】運転履歴データ管理装置１側に、プラントの運転履歴データを保存する運転履歴データベース５と、光ディスク装置２１に保存されたバックアップデータから復元された運転履歴データを保存する運転履歴復元エリアデータベース９を設け、クライアント端末１７側に、運転履歴データベース５から抽出されたバックアップデータが保存される光ディスク装置２１を設けて、クライアント端末１７から、運転履歴データ管理装置１にデータ検索要求を行い、受信した運転履歴データを表示するようにした。【選択図】        図１
2004185460.tif 000002
【特許請求の範囲】
【請求項１】
プラントの運転データを保存する運転履歴データ管理装置と、この運転履歴データ管理装置にネットワークを介して接続され、上記運転データのバックアップデータを保存するバックアップ装置が接続されたクライアント端末とを備え、
上記運転履歴データ管理装置は、プラントから入力される運転データを保存する運転履歴データベース、上記クライアント端末からの要求に基づき、上記運転履歴データベースからバックアップデータを抽出して上記クライアント端末に送信するバックアップデータ送信処理部、上記バックアップ装置に保存されたバックアップデータから復元された運転データを保存する運転履歴復元エリアデータベース、上記クライアント端末から復元要求され、上記クライアント端末から送信された運転データを上記運転履歴復元エリアデータベースに書込むデータ復元受信処理部、及びクライアント端末からの要求に基づき、上記運転履歴データベース及び上記運転履歴復元エリアデータベースの運転データを抽出編集して上記クライアント端末に送信するデータ検索編集処理部によって構成され、
上記クライアント端末は、上記運転履歴データ管理装置に自身が必要とするバックアップデータの送信を要求し、受信したバックアップデータを上記バックアップ装置に保存するデータパックアップ要求処理部、上記運転履歴データベースに保存されていない運転データについて、上記運転履歴データ管理装置に上記バックアップ装置に保存されたバックアップデータを用いてデータ復元要求を行うデータ復元要求処理部、及び上記運転履歴データ管理装置にデータ検索要求を行い、上記運転履歴データ管理装置から受信した上記運転データを表示するデータ検索要求／データ表示部によって構成されていることを特徴とする運転履歴データ管理システム。
【請求項２】
上記運転履歴データ管理装置のバックアップデータ送信処理部は、バックアップデータを圧縮して送信すると共に、上記運転履歴データ管理装置のデータ復元受信処理部は、上記クライアント端末から復元要求され、送信された運転データを解凍して運転履歴復元エリアデータベースに書込むことを特徴とする請求項１記載の運転履歴データ管理システム。
【請求項３】
上記クライアント端末のデータバックアップ要求処理部は、バックアップ完了時間の予測を行い、上記予測されたバックアップ完了時間を表示すると共に、上記クライアント端末のデータ復元供給処理部は、データ復元完了時間の予測を行い、上記予測されたデータ復元完了時間を表示するように構成されていることを特徴とする請求項１または請求項２記載の運転履歴データ管理システム。
【請求項４】
上記クライアント端末のデータ復元供給処理部は、上記バックアップ装置から復元される運転データの信頼性を確認した後に、上記運転履歴データ管理装置に送信することを特徴とする請求項１〜請求項３のいずれかに記載の運転履歴データ管理システム。
【請求項５】
上記運転履歴データ管理装置のバックアップデータ送信処理部は、バックアップデータを暗号化して送信すると共に、上記運転履歴データ管理装置のデータ復元受信処理部は、上記クライアント端末から復元要求され、送信された運転データを復号化して運転履歴復元エリアデータベースに書込むことを特徴とする請求項１〜請求項４のいずれかに記載の運転履歴データ管理システム。
【請求項６】
上記クライアント端末装置は、バックアップデータが保存された光ディスクのラベル情報を含むバックアップの内容についての情報が、バックアップのつど書込まれた端末用データバックアップ／復元管理情報を有し、上記データ復元要求処理部は、上記端末用データバックアップ／復元管理情報を参照して、復元要求するバックアップデータが保存された光ディスクのラベル情報を表示することを特徴とする請求項１〜請求項５のいずれかに記載の運転履歴データ管理システム。
【請求項７】
プラントの運転データを保存する運転履歴データ管理装置と、この運転履歴データ管理装置にネットワークを介して接続され、上記運転データのバックアップデータを保存するバックアップ装置が接続されたクライアント端末とを備え、
上記運転履歴データ管理装置は、プラントから入力される運転データを保存する運転履歴データベース、上記クライアント端末からの要求に基づき、上記運転履歴データベースからバックアップデータを抽出して上記クライアント端末に送信するバックアップデータ送信処理部、及びクライアント端末からの要求に基づき、上記運転履歴データベースの運転データを抽出編集して上記クライアント端末に送信するデータ検索編集処理部によって構成され、
上記クライアント端末は、上記運転履歴データ管理装置に自身が必要とするバックアップデータの送信を要求し、受信したバックアップデータを上記バックアップ装置に保存するデータパックアップ要求処理部、バックアップデータが保存された光ディスクのラベル情報を含むバックアップの内容についての情報が、バックアップのつど書込まれた端末用データバックアップ／復元管理情報、この端末用データバックアップ／復元管理情報を参照して復元要求するバックアップデータが保存された光ディスクのラベル情報を表示すると共に、上記ラベル情報を有する光ディスクが挿入された上記バックアップ装置からバックアップデータを読み出すデータ復元処理部、及び上記運転履歴データ管理装置にデータ検索要求を行い、上記運転履歴データ管理装置から受信した上記運転データを表示するデータ検索要求編集／データ表示部によって構成され、上記データ検索要求編集／データ表示部は、上記運転履歴データ管理装置から上記運転データが得られないとき、上記データ復元処理部によって上記バックアップ装置からバックアップデータを読み出し、上記読み出されたバックアップデータを表示することを特徴とする運転履歴データ管理システム。
【請求項８】
上記運転履歴データ管理装置は、バックアップデータを送信したクライアント端末名と上記バックアップの内容についての情報及びデータ復元を行ったクライアント端末名及び上記データ復元の内容についての情報を保存した管理装置用データバックアップ／復元管理情報を有し、上記管理装置用データバックアップ／復元管理情報は、上記クライアント端末によって表示されることを特徴とする請求項１〜請求項６のいずれかに記載の運転履歴データ管理システム。
【請求項９】
上記運転履歴データ管理装置は、上記運転履歴データベース及び運転履歴復元エリアデータベースに、上記クライアント端末から要求された運転データがない場合には、上記管理装置用データバックアップ／復元管理情報を参照して、上記運転データのバックアップデータを保存しているクライアント端末に上記バックアップデータの送信要求を行うことを特徴とする請求項８記載の運転履歴データ管理システム。
【請求項１０】
上記クライアント端末のデータバックアップ要求処理部には、利用者によってバックアップスケジュールが入力されるバックアップスケジュール入力処理部を設け、上記運転履歴データ管理装置のバックアップデータ送信処理部には、上記バックアップスケジュールにしたがってバックアップデータを運転履歴データベースから抽出処理するバックアップスケジュール起動処理部を設けたことを特徴とする請求項１〜請求項９のいずれかに記載の運転履歴データ管理システム。
【発明の詳細な説明】
【０００１】
【発明の属する技術分野】
この発明は、例えば火力発電、水力発電などの運転データを管理する必要のあるプラントにおいて、運転員の要求により指定された日時の運転データを、長時間保存された運転データから検索して表示する運転履歴データ管理システムに関するものである。
【０００２】
【従来の技術】
従来の発電プラントの運転履歴データ管理装置は、運転履歴データ管理装置に光ディスク装置や光ディスクオートチェンジャーを接続し、発電プラントからの運転データを長期間保存するとともに、クライアントからの検索要求に応答している。光ディスク装置や光ディスクオートチェンジャーを用いているのは、データ量が多く、しかも長期間の保存が必要であるため、故障の可能性が高い固定ディスクへの保存だけでなく、半永久的に保存可能なものとして光ディスクに保存している。固定ディスクには保存容量に限界があり、一定の保存期間に達すると、最も古いデータから消去され、新しいデータが保存されていく。固定ディスクにない過去のデータを検索する場合は、光ディスクに保存されたデータを利用する（特許文献１、特許文献２参照）。
【０００３】
【特許文献１】
特開平８−３３５１１０号公報（段落番号００６４〜００６８、図１）
【特許文献２】
特開２０００−１４８７７９号公報（段落番号００６６〜００６８、図４）
【０００４】
【発明が解決しようとする課題】
従来の発電プラントの運転履歴データ管理装置は、以上のように構成されているので、長期間のデータ保存には、高価で機械故障発生率の高い光ディスクオートチェンジャーが必要であった。
また、水力発電プラントのように、運転履歴データ管理装置が、普段は無人の発電所構内に設置されている場合において、離れた場所にある制御所等の端末で監視を行っている場合で、過去の光ディスク内のデータを検索するために光ディスクを光ディスク装置に入れる場合や、保存容量が一杯になった光ディスクを新しい光ディスクに交換するためには、運転履歴データ管理装置を設置してある、離れた場所まで移動する必要があり、時間がかかるという問題があった。特にオートチェンジャーでない光ディスク装置の場合は、交換頻度が多くなり利便性が悪いという問題があった。
【０００５】
また、クライアント側に安価で取扱いやすい光ディスク装置を接続し、バックアップを取る場合やデータ復元をする場合は、データ量が大きい場合に通信処理に時間がかかる問題があった。
また、クライアント側に安価で取扱いやすい光ディスク装置を接続し、バックアップを取る場合やデータを復元する場合は、どれくらいのデータ通信時間がかかるのか事前に把握できない問題があった。
また、クライアント側に安価で取扱いやすい光ディスク装置を接続し、データを復元する場合は、偶然同じファイル名であっても全く別のファイルである可能性もあり、復元する際のデータの信頼性が分からないという問題があった。
また、クライアント側に安価で取扱いやすい光ディスク装置を接続し、バックアップを取る場合やデータを復元する場合は、インターネットや公衆回線で運転履歴データ管理装置とネットワーク接続されているような場合に、盗聴や盗み見、改ざんが行われる危険があるという問題があった。
【０００６】
また、クライアント側に安価で取扱いやすい光ディスク装置を接続し、バックアップを取る場合やデータを復元する場合は、光ディスクがチェンジャータイプでない場合は、入れ替える手間が必要であったり、どの光ディスクを挿入すればよいかが分かり難いという問題があった。
また、クライアント側に安価で取扱いやすい光ディスク装置を接続し、バックアップを取る場合は、クライアント側でバックアップをマンマシン画面から人が指示する必要があり、手間がかかるという問題があった。
また、クライアント側に安価で取扱いやすい光ディスク装置を接続し、バックアップを取る場合は、光ディスクに入っている過去のデータを一度運転履歴データ管理装置へ転送するため、時間がかかるという問題があった。
また、クライアント側に安価で取扱いやすい光ディスク装置を接続し、バックアップを取る場合で、さらにクライアントの設置場所がそれぞれ離れている場合において、複数台のクライアントからバックアップがとれないため、複数のクライアントから検索することができないという問題があった。
また、クライアント側に安価で取扱いやすい光ディスク装置を接続し、データ復元する場合で、さらにクライアントの設置場所がそれぞれ離れており、過去のデータを検索したい場合、バックアップを取り忘れ、紛失、故障で他のクライアントが持っている光ディスクを使用したい場合に、問い合わせや連絡等で時間を必要とし、利便性が悪いという問題があった。
【０００７】
この発明は、上記のような問題点を解決するためになされたもので、第１の目的は、光ディスクオートチェンジャーを不要にし、安価で取扱いやすいクライアント側に接続された光ディスク装置を代用可能とすることができる運転履歴データ管理システムを得るものである。
また、第２の目的は、バックアップとデータ復元時間を短縮できる運転履歴データ管理システムを得るものである。
また、第３の目的は、バックアップとデータ復元時間を事前に把握でき、利便性を向上することができる運転履歴データ管理システムを得るものである。
また、第４の目的は、データ復元の際にデータの信頼性を事前に把握でき、利便性を向上することができる運転履歴データ管理システムを得るものである。
また、第５の目的は、インターネット等の公衆回線を使用するものにあっては、バックアップとデータ復元中のデータを盗聴や盗み見、改ざんされることが困難な運転履歴データ管理システムを得るものである。
【０００８】
また、第６の目的は、データ復元の際にどの光ディスクを装置に入れれば良いかが把握でき、利便性を向上することができる運転履歴データ管理システムを得るものである。
また、第７の目的は、事前にバックアップスケジュールを組むことができて、利便性を向上することができる運転履歴データ管理システムを得るものである。
また、第８の目的は、データ復元の際にデータ転送を不要にし、時間を短縮できる運転履歴データ管理システムを得るものである。
また、第９の目的は、クライアントが離れた場所でも、複数の端末でバックアップとデータ復元を行うことができ、利便性を向上することができる運転履歴データ管理システムを得るものである。
また、第１０の目的は、クライアントが離れた場所でも、複数の端末でバックアップとデータ復元を行うことができる場合に、容易に他クライアントが持っている光ディスクを要求でき、利便性を向上することができる運転履歴データ管理システムを得るものである。
【０００９】
【課題を解決するための手段】
この発明に係わる運転履歴データ管理システムにおいては、プラントの運転データを保存する運転履歴データ管理装置と、この運転履歴データ管理装置にネットワークを介して接続され、運転データのバックアップデータを保存するバックアップ装置が接続されたクライアント端末とを備え、
運転履歴データ管理装置は、プラントから入力される運転データを保存する運転履歴データベース、クライアント端末からの要求に基づき、運転履歴データベースからバックアップデータを抽出してクライアント端末に送信するバックアップデータ送信処理部、バックアップ装置に保存されたバックアップデータから復元された運転データを保存する運転履歴復元エリアデータベース、クライアント端末から復元要求され、クライアント端末から送信された運転データを運転履歴復元エリアデータベースに書込むデータ復元受信処理部、及びクライアント端末からの要求に基づき、運転履歴データベース及び運転履歴復元エリアデータベースの運転データを抽出編集してクライアント端末に送信するデータ検索編集処理部によって構成され、
クライアント端末は、運転履歴データ管理装置に自身が必要とするバックアップデータの送信を要求し、受信したバックアップデータをバックアップ装置に保存するデータパックアップ要求処理部、運転履歴データベースに保存されていない運転データについて、運転履歴データ管理装置にバックアップ装置に保存されたバックアップデータを用いてデータ復元要求を行うデータ復元要求処理部、及び運転履歴データ管理装置にデータ検索要求を行い、運転履歴データ管理装置から受信した運転データを表示するデータ検索要求／データ表示部によって構成されているものである。
【００１０】
【発明の実施の形態】
実施の形態１．
図１は、この発明の実施の形態１による発電プラントに適用した場合の運転履歴データ管理システムを示すブロック図である。
図１において、運転履歴データ管理装置１は、発電プラント２から運転データを取り込む。運転履歴データ管理装置１は、次のように構成されている。
運転データ収集部３により発電プラント２の運転データを取り込み、運転データ編集／保存部４により、編集して、運転履歴データベース５内の当日運転履歴データベース６に保存する。運転履歴データベース５には、前日運転履歴データベース７と、Ｎ日前運転履歴データベース８が設けられている。
【００１１】
運転履歴復元エリアデータベース９には、復元エリア管理情報１０と復元エリア１（１１）〜復元エリアＮ（１２）が設けられている。データ検索・編集処理部１３は、クライアント端末から要求を受けたデータ検索要求受信／返信部１４からの要求に応じて、運転履歴データベース５または運転履歴復元エリアデータベース９から運転データを検索し、編集を行い、データ検索要求受信／返信部１４に編集したデータを返す。データ検索要求受信／返信部１４は、データをクライアント端末に送信する。バックアップデータ送信処理部１５は、クライアント端末からの要求に応じて、運転履歴データベース５から該当する運転データを読み出し、クライアント端末へ送信する。データ復元受信処理部１６は、クライアント端末からのデータ復元要求を受けて、受信したデータを運転履歴復元エリアデータベース９の該当する復元エリアにデータを書込む。
【００１２】
クライアント端末１７は、ネットワーク２２を介して運転履歴データ管理装置１に接続され、データ検索要求受信／返信部１４にデータ検索要求を行い、受信したデータを表示するデータ検索要求／データ表示部１８を有している。また、クライアント端末１７は、データ復元要求処理部１９とデータバックアップ要求処理部２０を有し、それぞれ、光ディスク装置２１のバックアップ装置と運転履歴データ管理装置１との間で、データの復元およびデータバックアップ処理を行う。
【００１３】
次に動作について説明する。
クライアント端末１７のデータバックアップ要求処理部２０は、バックアップを取りたいデータの種類、バックアップ期間を指定し、運転履歴データ管理装置１に対し要求を行うと、バックアップデータ送信処理部１５が運転履歴データベース５から該当するデータを読み出し、ファイルのヘッダにデータ種類、データ期間を付けて、要求元のクライアント端末１７へデータを送信する。データを受信したデータバックアップ要求処理部２０は、予め指定された任意のフォルダ／ファイル名で、クライアント端末１７に接続されている光ディスク装置２１のバックアップ装置に保存する。
【００１４】
クライアント端末１７から運転履歴データベース５には保存されていない過去のデータを検索したい場合は、光ディスク装置２１に当該期間が保存されている光ディスクを挿入し、データ復元要求処理部１９により光ディスク内の復元したいファイル名及び運転履歴復元エリアデータベース９内の復元エリアを指定すると、運転履歴データ管理装置１にデータが転送される。運転履歴データ管理装置１のデータ復元受信処理部１６がデータを受信すると、運転履歴復元エリアデータベース９の該当する復元エリアＮにデータを書き込むとともに、当該復元エリア情報として受信したファイルのヘッダ情報からデータ種類、データ期間を読み取り、復元エリア管理情報１０に記録する。
【００１５】
クライアント端末１７からデータ検索要求／データ表示部１８によりデータ検索要求を行うと、運転履歴データ管理装置１のデータ検索要求受信／返信部１４がデータ検索要求を受け付け、データ検索・編集処理部１３に対し、データの検索要求を行う。データ検索・編集処理部１３は、検索要求の期間が運転履歴データベース５に保存されている期間かどうかを判定し、該当すれば運転履歴データベース５からデータを読み出し、なければ運転履歴復元エリアデータベース９の復元エリア管理情報１０を参照し、該当する復元エリアからデータを読み出す。データ検索・編集処理部１３が２箇所からの読み出したデータを編集し、データ検査要求受信／返信部１４にデータを返す。データ検索要求受信／返信部１４は、検索要求のあったクライアント端末１７に対してデータを返信する。クライアント端末１７のデータ検索要求／データ表示部１８では受け取ったデータをもとに、トレンドグラフやデータ一覧、散布図などに加工してデータを表示する。
なお、運転履歴復元エリアデータベース９は、復元要求をしたクライアント端末以外のネットワークに接続されている端末からも検索しデータ表示が可能である。
【００１６】
従って、実施の形態１によれば、クライアント端末側に接続された安価で取扱いやすい光ディスク装置を使って、バックアップ及び過去データの検索が可能となり、運転履歴データ管理装置に高価な光ディスクオートチェンジャーを設置することを不要とすることができる。
【００１７】
実施の形態２．
図２は、この発明の実施の形態２による発電プラントに適用した場合の運転履歴データ管理システムの構成を示すブロック図である。
図２において、１〜２２は、図１におけるものと同一のものである。運転履歴データ管理装置１のバックアップデータ送信処理部１５に、データ圧縮処理２３を設け、データ復元受信処理部１６内にデータ解凍処理２４を設けている。
【００１８】
実施の形態１では、バックアップデータ送信処理部１５で、運転履歴データベース５で読み出したデータを、そのままクライアント端末に送信していたが、図２では、バックアップデータ送信処理部１５内に、データ圧縮処理２３を設けてデータ圧縮後にクライアント端末１７にデータを送信し、クライアント端末１７からのデータ復元要求時には、データ復元受信処理部１６内に、データ解凍処理２４を設けて、圧縮されたデータを解凍するようにしたものである。
【００１９】
実施の形態２によれば、従って、ネットワークに流れるデータ量を少なくすることができ、プラントデータ量が多い場合で、ネットワーク性能への影響を少なくしたい場合に効果的である。
また、データが圧縮され光ディスクに保存されるため、光ディスクの容量を節約でき、保存時間も短くてすむ。
【００２０】
実施の形態３．
図３は、この発明の実施の形態３による発電プラントに適用した場合の運転履歴データ管理システムの構成を示すブロック図である。
図３において、１〜２２は、図１におけるものと同一のものである。クライアント端末１７のデータバックアップ要求処理部２０内に、データバックアップ完了時間予測処理２５を設け、データ復元要求処理部１９内に、データ復元完了時間予測処理２６を設けている。
【００２１】
実施の形態１では、データバックアップ要求処理部１７やデータ復元要求処理部１９での処理完了予定時間が利用者には分からなかったが、図３では、データバックアップ要求処理部１７にデータバックアップ完了時間予測処理２５を設け、データ復元要求処理部１９にデータ復元完了時間予測処理２６を設けるように構成したものである。
データバックアップ完了予測処理２５は、データ種類、バックアップ期間からネットワーク２２の平均通信時間と運転履歴データベース５の平均読み出し時間を計算して足し合わせ、利用者に完了予測時間を表示する。
データ復元完了時間予測処理２６は、データ種類、バックアップ期間からネットワーク２２の平均通信時間と運転履歴復元エリアデータベース９への平均書き込み時間を足し合わせて、利用者に完了予測時間を表示する。
【００２２】
実施の形態３によれば、従って、一度に大量のデータをバックアップ、復元するような状況において、利用者は完了予測時間を知ることができ、利用者の利便性を向上することができる。
【００２３】
実施の形態４．
図４は、この発明の実施の形態４による発電プラントに適用した場合の運転履歴データ管理システムの構成を示すブロック図である。
図４において、１〜２２は、図１におけるものと同一のものである。クライアント端末１７のデータ復元要求処理部１９に、復元データ信頼性確認処理２７を設けている。
【００２４】
実施の形態１では、データ復元要求処理部１９で、光ディスク内の復元したいファイル名を指定して、そのままデータを運転履歴データ管理装置１へデータを送信していたが、図４では、データ復元要求処理部１９に復元データ信頼性確認処理２７を設け、データをチェックしてから送信するように構成したものである。
復元データ信頼性確認処理２７は、ファイル内のヘッダ情報に書かれているデータ種類、期間を読み取り、光ディスク内のデータの中身がヘッダ情報に記載されているデータ種類であり、期間分が保存されていることをチェックする。
【００２５】
実施の形態４によれば、従って、データの信頼性を確認してからデータを送信でき、利用者が複数の運転履歴データ管理装置を扱っている場合で、光ディスクが間違って読み込まれることがないなど、利用者の利便性を向上することができる。
【００２６】
実施の形態５．
図５は、この発明の実施の形態５による発電プラントに適用した場合の運転履歴データ管理システムの構成を示すブロック図である。
図５において、１〜２２は、図１におけるものと同一のものである。運転履歴データ管理装置１のバックアップデータ送信処理部１５内にデータ暗号化処理２８を設け、データ復元受信処理部１６内に、データ復号化処理２９を設けている。
【００２７】
実施の形態１では、バックアップデータ送信処理部１５で、運転履歴データベース５から読み出したデータを、そのままクライアント端末１７に送信していたが、図５では、バックアップデータ送信処理部１５内に、データ暗号化処理２８を設けて、データ暗号化後にクライアント端末１７にデータを送信し、クライアント端末１７からのデータ復元要求時には、データ復元受信処理部１６内に、データ復号化処理２９を設けて、データ復号化をするようにしたものである。
【００２８】
実施の形態５によれば、従って、ネットワークが、インターネットや公衆回線であっても、データの盗聴や盗み見、改ざんを防止することができ、データの信頼性を保ちながら、安価なネットワークを使う場合に効果的である。
【００２９】
実施の形態６．
図６は、この発明の実施の形態６による発電プラントに適用した場合の運転履歴データ管理システムの構成を示すブロック図である。
図６において、１〜２２は、図１におけるものと同一のものである。クライアント端末１７にデータバックアップ／復元管理情報３０（端末用データバックアップ／復元管理情報）を設け、データ復元要求処理部１９内に、挿入ディスクガイダンス処理３１を設けている。ラベル印刷プリンタ４１は、クライアント端末１７に接続されている。
【００３０】
実施の形態１では、データバックアップ要求処理部２０とデータ復元要求処理部１９で情報を共有していなかったが、図６では、データバックアップ／復元管理情報３０を設けて、情報の共有ができるようにしたものである。
データバックアップ要求処理部２０では、バックアップ保存した光ディスクに一意のラベル情報を書き込むとともに、ラベル情報とバックアップの記録（データ種類、期間）をデータバックアップ／復元管理情報３０に書き込む。また、ラベル情報は、クライアント端末１７に接続されたラベル印刷プリンタ４１から出力され、光ディスクに貼り付けることができる。
データ復元要求処理部１９では、復元したいデータを指定する際に、挿入ディスクガイダンス処理３１によって、データバックアップ／復元管理情報３０を参照し、必要な光ディスクのラベル情報を利用者に表示し、光ディスクの挿入を促すことができる。
【００３１】
実施の形態６によれば、従って、データ復元時に複数の光ディスクを使用したい場合の混乱防止や、光ディスクの保存枚数が多いために管理が煩雑になる場合に利用者の利便性を向上することができる。
【００３２】
実施の形態７．
図７は、この発明の実施の形態７による発電プラントに適用した場合の運転履歴データ管理システムの構成を示すブロック図である。
図７において、１〜２２は、図１におけるものと同一のものである。クライアント端末１７のデータバックアップ要求処理部２０内にバックアップスケジュール入力処理３２（バックアップスケジュール入力処理部）を設け、運転履歴データ管理装置１のバックアップデータ送信処理部１５内にバックアップスケジュール起動処理３３（バックアップスケジュール起動処理部）を設けている。
【００３３】
実施の形態１では、データバックアップ要求処理部２０で、利用者が指示したときにバックアップ処理が実行されていたが、図７においては、データバックアップ要求処理部２０内にバックアップスケジュール入力処理３２と、運転履歴データ管理装置１のバックアップ送信処理部１５内にバックアップスケジュール起動処理３３を設けたものである。
バックアップスケジュール入力処理３２は、利用者があらかじめ、指定日時と、データ種類及びバックアップ期間を入力しておくことができる。バックアップスケジュール入力された情報が、運転情報履歴データ管理装置１のバックアップスケジュール起動処理３３に送られる。バックアップスケジュール起動処理３３は、指定日時になると運転履歴データベース５からデータを読み出し、一時的に蓄積することができる。クライアント端末１７が起動されている場合は、蓄積されたデータをクライアント端末のデータバックアップ要求処理部２０に送信する。
【００３４】
実施の形態７によれば、従って、定期的にバックアップを取る場合や、夜間に無人で自動バックアップを取る場合において、利用者の利便性を高めることができる。
【００３５】
実施の形態８．
図８は、この発明の実施の形態８による発電プラントに適用した場合の運転履歴データ管理システムの構成を示すブロック図である。
図８において、１〜８、１３〜１５、１７、１８、２０〜２２、３０、３１、４１は、図６におけるものと同一のものである。クライアント端末１７に、データ検索要求・編集／データ表示部３４と、挿入ディスクガイダンス表示処理３１を有するデータ復元処理部３５とを設けている。
【００３６】
クライアント端末１７のデータバックアップ要求処理部２０から、バックアップを取りたいデータの種類、バックアップ期間を指定し、運転履歴データ管理装置１に対し要求を行うと、運転履歴データ管理装置１のバックアップデータ送信処理部１５が、運転履歴データベース５から該当するデータを読み出し、ファイルのヘッダにデータ種類、データ期間を付けて、要求元のクライアント端末１７へデータを送信する。データを受信したデータバックアップ要求処理部２０は、予め指定された任意のフォルダ／ファイル名とバックアップ保存した光ディスクに一意のラベル情報を書き込むとともに、ラベル情報とバックアップ内容についての情報（データ種類、期間）をデータバックアップ／復元管理情報３０（端末用データバックアップ／復元管理情報）に書き込む。また、ラベル情報は、クライアント端末１７に接続されたラベル印刷プリンタ４１から出力され、光ディスクに貼り付けることができる。
【００３７】
クライアント端末１７からデータ検索要求・編集／データ表示部３４により、データ検索要求を行うと、データ検索要求・編集／データ表示部３４は、検索要求の期間が運転履歴データベース５に保存されている期間かどうかを判定し、該当すれば運転履歴データ管理装置１のデータ検索要求受信／返信部１４がデータ検索要求を受け付け、データ検索・編集処理部１３に対し、データの検索要求を行う。該当しなければ、データバックアップ／復元管理情報３０をもとに、データ復元処理部３５に対して、挿入ガイダンス処理３１によってクライアント端末１７に接続されている光ディスク装置２１に挿入すべきディスクガイダンスを表示する。当該ディスクが光ディスク装置２１に挿入されたら、データ復元処理部３５がデータを読み出し、データ検索要求・編集／データ表示部３４で運転履歴データベース５から読み出されたデータと編集し、トレンドグラフやデータ一覧、散布図などに加工してデータを表示する。
【００３８】
実施の形態８によれば、従って、過去のデータを復元し、参照するクライアント端末が限定されている場合は、データ復元のためのデータ送信時間を省略することができ高速な検索が可能となる。
【００３９】
実施の形態９．
図９は、この発明の実施の形態９による発電プラントに適用した場合の運転履歴データ管理システムの構成を示すブロック図である。
図９において、１〜１４、１７〜２２は、図１におけるものと同一のものである。運転履歴データ管理装置１に、バックアップデータ送信処理部３６と、データ復元受信処理部３７と、データバックアップ／復元管理情報３８（管理装置用データバックアップ／復元管理情報）とを設けている。
【００４０】
クライアント端末１７のデータバックアップ要求処理部２０は、バックアップを取りたいデータの種類、バックアップ期間を指定し、運転履歴データ管理装置１に対し要求を行うと、バックアップデータ送信処理部３６が、運転履歴データベース５から該当するデータを読み出し、ファイルのヘッダにデータ種類、データ期間を付けて、要求元のクライアント端末へデータを送信するとともに、要求があったクライアント端末名と、データ種類、バックアップ期間のバックアップ内容についての情報とをデータバックアップ／復元管理情報３８に保存する。データを受信したクライアント端末１７のデータバックアップ要求処理部２０は、予め指定された任意のフォルダ／ファイル名で、クライアント端末１７に接続されている光ディスク装置２１に保存する。
【００４１】
各クライアント端末１７のデータバックアップ要求処理部２０では、どのクライアント端末１７が、どの種類のデータをどの期間バックアップしたかを参照し、利用者に表示することができる。
クライアント端末１７から、運転履歴データベース５には保存されていない過去のデータを検索したい場合は、光ディスク装置２１に当該機関が保存されている光ディスクを挿入し、データ復元要求処理部１９により光ディスク内の復元したいファイル名及び運転履歴復元エリアデータベース９内の復元エリアを指定すると、運転履歴データ管理装置１にデータが転送される。運転履歴データ管理装置１のデータ復元受信処理部３７がデータを受信すると、運転履歴復元エリアデータベース９の該当する復元エリアＮにデータを書き込むとともに、当該復元エリア情報として受信したファイルのヘッダ情報からデータ種類、データ期間を読み取り、復元エリア管理情報１０に記録する。さらに、要求があったクライアント端末名と、データ種類、データ期間の復元内容についての情報をデータバックアップ／復元管理情報３８に保存する。
各クライアント端末１７のデータ復元要求処理部１９では、どのクライアント端末１７がどの種類のデータをどの期間復元したかを参照し、利用者に表示することができる。
【００４２】
クライアント端末１７からデータ検索要求／データ表示部１８により、データ検索要求を行うと、運転履歴データ管理装置１のデータ検索要求受信／返信部１４がデータ検索要求を受け付け、データ検索・編集処理部１３に対し、データの検索要求を行う。データ検索・編集処理部１３は、検索要求の期間が運転履歴データベース５に保存されている期間かどうかを判定し、該当すれば運転履歴データベース５からデータを読み出し、該当しなければ、運転履歴復元エリアデータベース９の復元エリア管理情報１０を参照し、該当する復元エリアからデータを読み出す。データ検索・編集処理部１３が、２箇所からの読み出したデータを編集し、データ検索要求受信／返信部１４にデータを返す。データ検索要求受信／返信部１４は、検索要求のクライアント端末１７に対してデータを返信する。クライアント端末１７のデータ検索要求／データ表示部１８では受け取ったデータをもとに、トレンドグラフやデータ一覧、散布図などに加工してデータを表示する。
なお、運転履歴復元エリアデータベース９は、復元要求をしたクライアント端末以外のネットワークに接続されている端末からも検索でき、データ表示することが可能である。
【００４３】
実施の形態９によれば、従って、クライアント端末の設置場所が離れている場合でも、複数の端末からバックアップ／復元が可能となり、各端末のバックアップ／復元状況も参照することができ、利用者の利便性を向上することができる。
【００４４】
実施の形態１０．
図１０は、この発明の実施の形態１０による発電プラントに適用した場合の運転履歴データ管理システムの構成を示すブロック図である。
図１０において、１〜１２、１４、１７〜２２、３６〜３８は図９におけるものと同一のものである。クライアント端末１７に、データバックアップ／復元管理情報３０と、データ復元要求処理部１９内に、挿入ディスクガイダンス表示処理４０を設けている。また、クライアント端末１７には、ラベル印刷プリンタ４１が接続されている。運転履歴データ管理装置１には、データ検索・編集処理部３９が設けられている。
【００４５】
クライアント端末１７のデータバックアップ要求処理部２０は、バックアップを取りたいデータの種類、バックアップ期間を指定し、運転履歴データ管理装置１に対し要求を行うと、バックアップデータ送信処理部３６が運転履歴データベース５から該当するデータを読み出し、ファイルのヘッダにデータ種類、データ期間を付けて、要求元のクライアント端末１７へデータを送信するとともに、要求があったクライアント端末名と、データ種類、バックアップ期間のバックアップ内容についての情報とをデータバックアップ／復元管理情報３８（管理装置用データバックアップ／復元管理情報）に保存する。
データを受信したデータバックアップ要求処理部２０は、予め指定された任意のフォルダ／ファイル名とバックアップ保存した光ディスクに一意のラベル情報を書き込むとともに、ラベル情報とバックアップ内容についての情報（データ種類、期間）をデータバックアップ／復元管理情報３０に書き込む。また、ラベル情報は、クライアント端末１７に接続されたラベル印刷プリンタ４１から出力され、光ディスクに貼り付けることができる。
【００４６】
各クライアント端末１７のデータバックアップ要求処理部２０では、どのクライアント端末１７がどの種別のデータをどの期間バックアップしたかを参照し、利用者に表示することができる。
運転履歴データベース５に保存されていない過去のデータを検索したい場合は、データ復元要求処理部１９の挿入ディスクガイダンス表示処理４０が行う表示に従い、該当ラベルの光ディスクを光ディスク装置２１に挿入し、データ復元要求処理部１９により、運転履歴データ管理装置１にデータが転送される。運転履歴データ管理装置１のデータ復元受信処理部３７がデータを受信すると、運転履歴復元エリアデータベース９の該当する復元エリアＮにデータを書き込むとともに、当該復元エリア情報として受信したファイルのヘッダ情報からデータ種類、データ期間を読み取り、復元エリア管理情報１０に記録する。さらに、要求があったクライアント端末名と、データ種類、データ期間の復元内容についての情報とをデータバックアップ／復元管理情報３８に保存する。
各クライアント端末１７のデータ復元要求処理部１９では、どのクライアント端末１７がどの種類のデータをどの期間復元したかを参照し、利用者に表示することができる。
【００４７】
クライアント端末１７からデータ検索要求／データ表示部１８により、データ検索要求を行うと、運転履歴データ管理装置１のデータ検索要求受信・返信部１４が、データ検索要求を受け付け、データ検索・編集処理部３９に対し、データの検索要求を行う。データ検索・編集処理部３９は、検索要求の期間が運転履歴データベース５に保存されている期間かどうかを判定し、該当すれば、運転履歴データベース５からデータを読み出し、該当しなければ、運転履歴復元エリアデータベース９の復元エリア管理情報１０を参照し、該当する復元エリアからデータを読み出す。
【００４８】
さらになければ、データバックアップ／復元管理情報３８を参照し、データバックアップを持っているクライアント端末１７を特定する。データ検索要求受信／返信部１４が、当該クライアント端末１７のデータ検索要求／データ表示部１８に対して、問い合わせを行う。問い合わせを受けたデータ検索要求／データ表示部１８は、挿入ディスクガイダンス表示処理４０によって、該当するラベルの光ディスクを光ディスク装置２１に挿入するようにメッセージを表示する。該当するラベルの光ディスクを光ディスク装置２１に挿入し、データ復元要求処理部１９により運転履歴データ管理装置１にデータが転送され、復元エリアにデータが格納されたときに、データ検索・編集処理部３９が、２箇所からの読み出したデータを編集し、データ検索要求受信／返信部１４にデータを返す。
データ検索要求受信／返信部１４は、検索要求のあったクライアント端末１７に対してデータを返信する。クライアント端末１７のデータ検索要求／データ表示部１８では、受け取ったデータをもとに、トレンドグラフやデータ一覧、散布図などに加工してデータを表示する。
【００４９】
実施の形態１０によれば、従って、クライアント端末の設置場所が離れている場合で、バックアップの光ディスクが離れた場所にあっても、他クライアント端末に対して復元要求をかけることができ、利用者の利便性を向上することができる。
【００５０】
【発明の効果】
この発明は、以上説明したように構成されているので、以下に示すような効果を奏する。
プラントの運転データを保存する運転履歴データ管理装置と、この運転履歴データ管理装置にネットワークを介して接続され、運転データのバックアップデータを保存するバックアップ装置が接続されたクライアント端末とを備え、
運転履歴データ管理装置は、プラントから入力される運転データを保存する運転履歴データベース、クライアント端末からの要求に基づき、運転履歴データベースからバックアップデータを抽出してクライアント端末に送信するバックアップデータ送信処理部、バックアップ装置に保存されたバックアップデータから復元された運転データを保存する運転履歴復元エリアデータベース、クライアント端末から復元要求され、クライアント端末から送信された運転データを運転履歴復元エリアデータベースに書込むデータ復元受信処理部、及びクライアント端末からの要求に基づき、運転履歴データベース及び運転履歴復元エリアデータベースの運転データを抽出編集してクライアント端末に送信するデータ検索編集処理部によって構成され、
クライアント端末は、運転履歴データ管理装置に自身が必要とするバックアップデータの送信を要求し、受信したバックアップデータをバックアップ装置に保存するデータパックアップ要求処理部、運転履歴データベースに保存されていない運転データについて、運転履歴データ管理装置にバックアップ装置に保存されたバックアップデータを用いてデータ復元要求を行うデータ復元要求処理部、及び運転履歴データ管理装置にデータ検索要求を行い、運転履歴データ管理装置から受信した運転データを表示するデータ検索要求／データ表示部によって構成されているので、クライアント端末側に接続された安価な光ディスク装置を使って、バックアップ及びバックアップからの復元が可能となり、運転履歴データ管理装置に高価な光ディスクオートチェンジャーを設置することを不要とすることができる。
【図面の簡単な説明】
【図１】この発明の実施の形態１による発電プラントに適用した場合の運転履歴データ管理システムの構成を示すブロック図である。
【図２】この発明の実施の形態２による発電プラントに適用した場合の運転履歴データ管理システムの構成を示すブロック図である。
【図３】この発明の実施の形態３による発電プラントに適用した場合の運転履歴データ管理システムの構成を示すブロック図である。
【図４】この発明の実施の形態４による発電プラントに適用した場合の運転履歴データ管理システムの構成を示すブロック図である。
【図５】この発明の実施の形態５による発電プラントに適用した場合の運転履歴データ管理システムの構成を示すブロック図である。
【図６】この発明の実施の形態６による発電プラントに適用した場合の運転履歴データ管理システムの構成を示すブロック図である。
【図７】この発明の実施の形態７による発電プラントに適用した場合の運転履歴データ管理システムの構成を示すブロック図である。
【図８】この発明の実施の形態８による発電プラントに適用した場合の運転履歴データ管理システムの構成を示すブロック図である。
【図９】この発明の実施の形態９による発電プラントに適用した場合の運転履歴データ管理システムの構成を示すブロック図である。
【図１０】この発明の実施の形態１０による発電プラントに適用した場合の運転履歴データ管理システムの構成を示すブロック図である。
【符号の説明】
１  運転履歴データ管理装置、２  発電プラント、３  運転データ収集部、
４  運転データ編集／保存部、５  運転履歴データベース、
６  当日運転履歴データベース、７  前日運転履歴データベース、
８  Ｎ日前運転履歴データベース、９  運転履歴復元エリアデータベース、
１０  復元エリア管理情報、１１  復元エリア１、１２  復元エリアＮ、
１３  データ検索・編集処理部、１４  データ検索要求受信／返信部、
１５  バックアップデータ送信処理部、１６  データ復元受信処理部、
１７  クライアント端末、１８  データ検索要求／データ表示部、
１９  データ復元要求処理部、２０  データバックアップ要求処理部、
２１  光ディスク装置、２２  ネットワーク、２３  データ圧縮処理、
２４  データ解凍処理、２５  データバックアップ完了時間予測処理、
２６  データ復元完了時間予測処理、２７  復元データ信頼性確認処理、
２８  データ暗号化処理、２９  データ復号化処理、
３０  データバックアップ／復元管理情報、
３１  挿入ディスクガイダンス表示処理、
３２  バックアップスケジュール入力処理、
３３  バックアップスケジュール起動処理、
３４  データ検索要求・編集／データ表示部、
３５  挿入ディスクガイダンス表示処理、
３６  バックアップデータ送信処理部、３７  データ復元受信処理部、
３８  データバックアップ／復元管理情報、３９  データ検索／編集処理部、
４０  挿入ディスクガイダンス表示処理、４１  ラベル印刷プリンタ。
【図１】
2004185460.tif 000003
【図２】
2004185460.tif 000004
【図３】
2004185460.tif 000005
【図４】
2004185460.tif 000006
【図５】
2004185460.tif 000007
【図６】
2004185460.tif 000008
【図７】
2004185460.tif 000009
【図８】
2004185460.tif 000010
【図９】
2004185460.tif 000011
【図１０】
2004185460.tif 000012